(57)【特許請求の範囲】
【請求項１】
光軸を中心にした円形の開口部を有していて長孔を有している地板と、光軸を中心にした円形の開口部を有していて前記地板との間に羽根室を構成しているカバー板と、羽根室内において各々が光軸を中心にして略等角度間隔となる位置で前記地板又はカバー板に対し回転可能に取り付けられている複数枚の絞り羽根と、光軸を中心にして略等角度間隔に形成された複数のカム溝と一つの長孔とを有していて羽根室内において光軸を中心にして回転可能に配置されており該複数のカム溝には前記各絞り羽根の連結ピンを個別に嵌合させている絞り駆動リングと、永久磁石を有していて前記地板の前記長孔の長手方向の両端近傍部に個別に張り出した二つの張出部と所定の角度範囲で回転する回転子と該回転子から径方向へ張り出して一体的に形成されている腕部と該腕部に設けられた出力ピンと該回転子を軸受けしていて該回転子の回転位置検出手段を備えている固定子枠と該固定子枠に巻回された少なくとも一つの固定子コイルとを有していて前記地板の羽根室外の面に取り付けられており前記地板の前記長孔を通して該出力ピンを羽根室内に挿入し前記絞り駆動リングの前記長孔に嵌合させている電磁アクチュエータと、前記二つの張出部に取り付けられており製作時において個別に回転させられることによって前記腕部又は前記出力ピンとの当接位置を変え前記回転子の回転角度範囲の両端位置を規制し前記絞り駆動リングの回転開始位置及び回転終了位置を調整可能にしている二つの偏心部材と、を備えていることを特徴とする光学機器用絞り装置。
【請求項２】
前記固定子枠は、前記出力ピンを挿入させるための長孔が形成されている一つの張出部を有しており、前記二つの偏心部材は、該長孔の両端近傍部において個別に該張出部に取り付けられていることを特徴とする請求項１に記載の光学機器用絞り装置。
【請求項３】
前記出力ピンが前記地板の羽根室外に配置されていて、前記地板には、駆動ピンを有していて前記出力ピンの作動に連動して往復回転させられる仲介部材が取り付けられており、該駆動ピンが、羽根室内に挿入され前記絞り駆動リングの前記長孔に嵌合させられていることを特徴とする請求項１又は２に記載の光学機器用絞り装置。
【発明の詳細な説明】
【技術分野】
【０００１】
本発明は、複数枚の絞り羽根が、絞り駆動リングによって同時に同じ方向へ往復回転させられ、協働して形成する絞り開口の大きさを連続的又は段階的に変化させるようにした光学機器用絞り装置に関する。
【背景技術】
【０００２】
複数枚の絞り羽根が、絞り駆動リングによって同時に同じ方向へ往復回転させられ、協働して形成する絞り開口の大きさを連続的又は段階的に変化させるようにした絞り装置であって、絞り駆動リングの駆動源として、回転子の回転を所定の回転角度範囲内における任意の位置で停止させ得るようにした電流制御式の電磁アクチュエータを用いているものが、下記の特許文献１に記載されている。そして、この絞り装置は、特許文献１においては、主にプロジェクタに採用されるものとして記載されているが、種々のカメラに採用することも可能なものである。
【０００３】
また、複数枚の絞り羽根が、絞り駆動リングによって同時に同じ方向へ往復回転させられ、協働して形成する絞り開口の大きさを連続的又は段階的に変化させるようにした絞り装置であって、絞り駆動リングの駆動源として、ステップモータを用いているものが、下記の特許文献２に記載されている。そして、この絞り装置は、特許文献２においては、種々のカメラに採用されるものとして記載されているが、プロジェクタに採用することも可能なものである。また、この絞り装置の場合は、製作上での個体差によって絞り駆動リングの回転開始位置（初期位置）が微妙に異なってしまうのを調整するために、絞り駆動リングの回転開始位置を直接調整するために偏心部材（偏心軸）を備えている。
【０００４】
本発明は、特許文献１に記載されている種類の電磁アクチュエータを駆動源として採用した絞り装置であって、特許文献２に記載されているような偏心部材を利用することによって、製作上の個体差で生じる絞り駆動リングの絞り開口制御位置のずれを好適に調整できるようにした光学機器用の絞り装置に関するものである。
【０００５】
【特許文献１】特開２００６−２５１３３３号公報
【特許文献２】特開２００２−２５８３４７号公報
【発明の開示】
【発明が解決しようとする課題】
【０００６】
ところで、特許文献２に記載されている絞り装置は、絞り駆動リングの駆動源がステップモータであるため、各絞り開口は、絞り駆動リングの初期位置を基準にして与えられるパルス数に対応して制御される。それゆえ、例えば、初期位置を最大絞り開口の制御位置とした絞り装置の場合において、組立完了後にテストしたところ、最小絞り開口の制御位置は基準どおりに得られたが、最大絞り開口の制御位置が基準位置からずれていたとき、偏心部材によって最大絞り開口の制御位置を単純に基準位置に合わせようとすると、逆に、最小絞り開口の制御位置が基準位置からずれてしまうことになる。しかも、その場合には、他の中間の絞り開口の制御位置もずれることになる。そのため、全ての絞り開口制御位置を全体的に基準位置に近似させることは容易でない。そして、これと同じようなことは、特許文献１に記載されている電流制御式の電磁アクチュエータを駆動源とした場合にも言えることである。
【０００７】
また、特許文献２に記載されている絞り装置の場合には、ステップモータと絞り駆動リングとの間に歯車を介在させていることから、偏心部材によって絞り駆動リングの初期位置を直接的に調整する必要があって、偏心部材を羽根室内に取り付けている。そのため、組立完了後のテストで不具合が判明した場合には、地板から、地板との間に羽根室を構成しているカバー板を取り外さなければ、調整作業をすることができないという問題点もある。
【０００８】
本発明は、このような問題点を解決するためになされたものであり、その目的とするところは、複数枚の絞り羽根を同時に同じ方向へ往復回転させて絞り開口の大きさを連続的又は段階的に変化させるようにした絞り駆動リングを、電流制御式の電磁アクチュエータによって往復回転させるようにした絞り装置において、羽根室内にある絞り駆動リングの最大絞り開口制御位置と最小絞り制御位置とを、組立完了後の状態において羽根室外で適切に調整することができると共に、それによって複数の中間絞り開口制御位置も適切に得られるようにした光学機器用絞り装置を提供することである。
【課題を解決するための手段】
【０００９】
上記の目的を達成するために、本発明の光学機器用絞り装置は、光軸を中心にした円形の開口部を有していて長孔を有している地板と、光軸を中心にした円形の開口部を有していて前記地板との間に羽根室を構成しているカバー板と、羽根室内において各々が光軸を中心にして略等角度間隔となる位置で前記地板又はカバー板に対し回転可能に取り付けられている複数枚の絞り羽根と、光軸を中心にして略等角度間隔に形成された複数のカム溝と一つの長孔とを有していて羽根室内において光軸を中心にして回転可能に配置されており該複数のカム溝には前記各絞り羽根の連結ピンを個別に嵌合させている絞り駆動リングと、永久磁石を有していて前記地板の前記長孔の長手方向の両端近傍部に個別に張り出した二つの張出部と所定の角度範囲で回転する回転子と該回転子から径方向へ張り出して一体的に形成されている腕部と該腕部に設けられた出力ピンと該回転子を軸受けしていて該回転子の回転位置検出手段を備えている固定子枠と該固定子枠に巻回された少なくとも一つの固定子コイルとを有していて前記地板の羽根室外の面に取り付けられており前記地板の前記長孔を通して該出力ピンを羽根室内に挿入し前記絞り駆動リングの前記長孔に嵌合させている電磁アクチュエータと、前記二つの張出部に取り付けられており製作時において個別に回転させられることによって前記腕部又は前記出力ピンとの当接位置を変え前記回転子の回転角度範囲の両端位置を規制し前記絞り駆動リングの回転開始位置及び回転終了位置を調整可能にしている二つの偏心部材と、を備えているようにする。
【００１０】
また、前記固定子枠は、前記出力ピンを挿入させるための長孔が形成されている一つの張出部を有しており、前記二つの偏心部材は、該長孔の両端近傍部において個別に該張出部に取り付けられているようにしてもよい。
【００１１】
更に、本発明においては、前記出力ピンが前記地板の羽根室外に配置されていて、前記地板には、駆動ピンを有していて前記出力ピンの作動に連動して往復回転させられる仲介部材が取り付けられており、該駆動ピンが、羽根室内に挿入され前記絞り駆動リングの前記長孔に嵌合させられているようにしてもよい。
【発明の効果】
【００１２】
本発明は、複数枚の絞り羽根を同時に同じ方向へ往復回転させて絞り開口の大きさを連続的又は段階的に変化させるようにした絞り駆動リングを、電流制御式の電磁アクチュエータによって往復回転させるようにした絞り装置において、電磁アクチュエータの回転子の回転角度範囲の両端位置を、装置の外部に取り付けられていて回転子の往復回転のストッパとなる二つの偏心部材を回転させることによって調整しつつ、羽根室内にある絞り駆動リングの最大絞り開口制御位置と最小絞り開口制御位置との両方を間接的に調整するようにしたものであるから、装置を分解することなく、組立て完了状態のまま絞り駆動リングの回転角度範囲を調整することが可能であると共に、固定子枠に取り付けられている回転位置検出手段が回転子の回転位置を検出することによって、複数の中間絞り開口も好適に制御することができるという効果がある。
【発明を実施するための最良の形態】
【００１３】
本発明の実施の形態を、図示した二つの実施例によって説明する。上記のように、本発明の光学機器用絞り装置は、プロジェクタ用の絞り装置とすることも、カメラ用の絞り装置とすることも可能なものであるが、二つの実施例は、いずれも、カメラ用の絞り装置として構成したものである。また、カメラ用の絞り装置の場合には、それらの実施例のように、単体の絞り装置として構成される場合のほか、シャッタ装置と共に一つのユニットとして構成されることも良く知られている。そのため、本発明の光学機器用絞り装置には、そのようにシャッタ装置と共にユニット化した絞り装置も含まれる。尚、図１〜図５は、実施例１を説明するためのものであり、図６〜図１０は、実施例２を説明するためのものである。
【実施例１】
【００１４】
図１〜図５を用いて本発明の実施例１を説明する。図１は、最大絞り開口の制御状態を示した平面図であり、図２は、図１の一部拡大図である。また、図３は、本実施例に用いられている電磁アクチュエータを、フレキシブルプリント配線板を取り除いた状態で示した平面図であり、図４は、本実施例の一部を断面で示した図である。更に、図５は、最小絞り開口の制御状態を示した平面図である。尚、図１は、羽根室内の一部が見えるようにするために、地板の一部を破断して示してある。
【００１５】
先ず、本実施例の構成を説明する。地板１とカバー板２は、合成樹脂製であって略同じ平面形状をしており、カバー板２を三つのビス３，４，５によって地板１に取り付け、地板１とカバー板２との間に羽根室を構成している。また、地板１とカバー板２の略中央部には、光軸を中心にして円形の開口部１ａ，２ａが重なるようにして形成されており、外周近傍部の３箇所には、カメラ本体への取付孔１ｂ，１ｃ，１ｄ，２ｂ，２ｃ，２ｄが重ねて形成されている。
【００１６】
また、地板１には、羽根室まで貫通した円弧状の長孔１ｅが形成されている。そして、表面側には、図２において主として破線でＬ字形に示されている取付部１ｆと、破線だけで示されている円柱状の取付部１ｇとが、手前側に高くなるようにして形成されている。更に、地板１の羽根室側の面には、開口部１ａの縁に沿って筒部１ｈが形成されているほか、三つの羽根取付軸１ｉ，１ｊ，１ｋが立設されている。図４には、それらのうちの羽根取付軸１ｉが示されていて、その先端を、カバー板２の孔２ｅに挿入しているが、他の羽根取付軸１ｊ，１ｋの場合も同様であって、それらの先端を夫々の孔に挿入している。
【００１７】
羽根室内には、絞り駆動リング６と、３枚の絞り羽根７，８，９が配置されている。それらのうち、絞り駆動リング６は、光軸を中心にして略等角度間隔に形成された三つのカム溝６ａ，６ｂ，６ｃと長孔６ｄとを有していて、上記の筒部１ｈの周りで光軸を中心にして回転可能になっており、光軸に沿った方向の移動は、図４に示されているように、地板１の外周部に沿って形成された突条部１ｍの先端と、カバー板２の外周部に沿って形成された突条部２ｆの先端とによって制限されている。
【００１８】
３枚の絞り羽根７，８，９は、全く同じ形状をしており、図４に示されている絞り羽根７のように、一体化されている管部材を上記の羽根取付軸１ｉ，１ｊ,１ｋに回転可能に嵌合させている。また、これらの絞り羽根７，８，９には連結ピン７ａ，８ａ，９ａが設けられていて、それらを絞り駆動リング６のカム溝６ａ，６ｂ，６ｃに嵌合させている。
【００１９】
尚、本実施例の場合は、絞り羽根を３枚備えているが、絞り駆動リング６のカム溝の数を増やすことによって、４枚以上にしても差し支えない。また、本実施例の場合は、３枚の絞り羽根７，８，９を、いわゆる編み込み式といわれている方法で組み付けている。即ち、全ての絞り羽根の先端が、隣接している地板１側の絞り羽根に対して、必ずカバー板２側となるようにして重ねられている。しかしながら、本発明は、このような構成に限定されず、全ての絞り羽根を、地板１側から順に、単純に重ねた構成にしてもよい。
【００２０】
地板１の羽根室外の面には、電磁アクチュエータＭ１とフレキシブルプリント配線板Ｐとが順に取り付けられているほか、円弧状をした長孔１ｅの長さ方向の両端近傍部には、二つの偏心部材１０，１１が取り付けられている。そこで、それらの具体的な取付け構成を、図２〜図４を用いて詳しく説明する。
【００２１】
本実施例の電磁アクチュエータＭ１の構成は、基本的には、例えば、特開２００４−９３８７４号公報に記載の第１実施例に用いられているものと似ている。即ち、コップ状をしている第１固定子枠１２と比較的板状をしている第２固定子枠１３との間に収容室が構成されており、永久磁石を有する回転子１４は、その収容室内に配置され、それらの固定子枠１２，１３に軸受けされている。そして、この回転子１４は、略径方向へ張り出して一体的に形成した合成樹脂製の腕部１４ａと、その腕部１４ａの先端に設けた合成樹脂製の出力ピン１４ｂとを有しており、腕部１４ａの大部分と出力ピン１４ｂとは、収容室外に存在するようになっている。
【００２２】
また、図３に示されているように、固定子枠１２，１３の外部には、それらの軸受け部を囲むようにして二つの固定子コイル１５，１６が一緒に巻回されている。そして、それらの固定子コイル１５，１６の両端は、第１固定子枠１２に設けられた四つの端子ピン１２ａ，１２ｂ，１２ｃ，１２ｄに夫々巻き付けられている。また、第１固定子枠１２には、固定子コイル１５，１６をも包囲するようにして円筒形をしたヨーク１７が嵌装されている。
【００２３】
また、図３に示されているように、第２固定子枠１３には周辺に四つの張出部１３ａ，１３ｂ，１３ｃ，１３ｄが形成されており、電磁アクチュエータＭ１は、この第２固定子枠１３の張出部１３ａ，１３ｃに形成されている二つの孔１３ｅ，１３ｆを利用し、二つのビス１８，１９によって地板１に取り付けられているが、その取付け状態においては、回転子１４の出力ピン１４ｂが、地板１の円弧状の長孔１ｅから羽根室内に挿入されており、羽根室内で絞り駆動リング６の長孔６ｄに嵌合するようになっている。
【００２４】
尚、本実施例では、上記のように、固定子枠１２，１３に二つの固定子コイル１５，１６を巻回している。一般にこのように構成した場合は、一方の固定子コイル１５に電流を供給すると、その電流値に対応して回転子１４を時計方向へ回転させる力が生じ、他方の固定子コイル１６に電流を供給すると、その電流値に対応して回転子１４を反時計方向へ回転させる力が生じるようになっていて、回転子１４は、それらの力がバランスした位置で停止させられるようになっている。しかしながら、上記の特開２００４−９３８７４号公報にも記載されているように、固定子コイルを一つだけ巻回していても、回転子を所定の回転位置で停止させ得ることも知られている。従って、本発明の電磁アクチュエータは、いずれの構成を採用したものであっても構わない。
【００２５】
フレキシブルプリント配線板Ｐには、硬質のプリント配線板２０が半田付けされている。また、そのプリント配線板２０には、回転子１４の回転位置検出手段として、ホール素子２１が取り付けられている。そして、フレキシブルプリント配線板Ｐは、図３に示されている第１固定子枠１２の凹部１２ｅに硬質のプリント配線板２０を差し込んで、ホール素子２１を回転子１４の周面に対向させ、且つ四つの孔に上記の端子ピン１２ａ，１２ｂ，１２ｃ，１２ｄを貫通させてから、二つのビス２２，２３によって、地板１の上記の取付部１ｆ，１ｇに取り付けられ、その後、端子ピン１２ａ，１２ｂ，１２ｃ，１２ｄを半田付けしている。尚、図１及び図５においては、硬質のプリント配線板２０とホール素子２１の図示を省略してある。
【００２６】
長孔１ｅの長さ方向の両端近傍位置に取り付けられている二つの偏心部材１０，１１は、全く同じ形状をしており、通常、偏心ピンと言われているものである。これらの偏心部材１０，１１は、円柱形をした頭部１０ａ,１１ａと、それらの偏心位置に設けられたピン１０ｂ，１１ｂとからなっており、頭部１０ａ,１１ａの頂面には、スリワリ１０ｃ，１１ｃとマーク孔１０ｄ，１１ｄが形成されている。そして、それらの偏心部材１０，１１は、ピン１０ｂ，１１ｂを、地板１に形成された二つの基準孔１ｎに夫々嵌合させているが、図４には、それらの二つの基準孔１ｎのうち、偏心部材１０のピン１０ｂを嵌合させている基準孔１ｎが示されている。尚、本実施例の偏心部材１０，１１は、偏心ピンとして製作されているが、本発明の偏心部材は、偏心ねじであっても構わない。そして、このことは、実施例２の場合も同じである。
【００２７】
本実施例は以上のような構成をしているが、ここで、本実施例における個体差調整方法を説明する。本実施例における個体差調整は、図１に示されているような全ての構成部材の組立完了状態において、羽根室外で行なえるという特徴がある。先ず、偏心部材１０，１１を、図２に示すように、マーク孔１０ｄ，１１ｄがスリワリ１０ｃ，１１ｃの同じ側に位置するようにしておき、回転子１４の腕部１４ａが頭部１０ａ，１１ａに接触したとき、スリワリ１０ｃ，１１ｃが腕部１４ａと略平行になるようにしておく。この状態が、偏心部材１０，１１にとっての、回転子１４の基準の回転角度範囲の規制状態である。即ち、この状態にある偏心部材１０の頭部１０ａに回転子１４の腕部１４ａが接触しているときには、３枚の絞り羽根７，８，９が正規の最大絞り開口制御位置にあるはずであるし、偏心部材１１の頭部１１ａに回転子１４の腕部１４ａが接触しているときには、３枚の絞り羽根７，８，９が正規の最小絞り開口制御位置にあるはずであるということである。
【００２８】
ところが、実際には、部品加工や組立加工の影響で個体差が生じてしまう。そこで先ず、偏心部材１０の頭部１０ａに回転子１４の腕部１４ａが接触した状態で、正規の最大絞り開口が得られていないときは、偏心部材１０を正規の最大絞り開口が得られる位置まで所定の方向へ回転させ、接着剤で固定する。その後、偏心部材１１の頭部１１ａに回転子１４の腕部１４ａが接触した状態にし、その状態で正規の最小絞り開口が得られていないときは、偏心部材１１を正規の最小絞り開口が得られる位置まで所定の方向へ回転させ、接着剤で固定する。この調整によって、ホール素子２１による回転子１４の検出状態も変わることになるため、調整後の回転子１４の回転角度範囲に対応して、中間絞り開口も適切に検出できるように、検出回路も調整するようにする。
【００２９】
このように、本実施例は、二つの偏心部材１０，１１が、いずれも地板１に取り付けられている。そのため、ホール素子２１のような回転位置検出手段を備えた電流制御式の電磁アクチュエータであって、地板に対する取り付け方にさえ問題がないものであるならば、本実施例の電磁アクチュエータＭ１とは若干異なる仕様の電磁アクチュエータであっても適用することができるので、特に修理のときなどは、それらの仕様の電磁アクチュエータを交換部品として使用することも可能であるという特徴がある。
【００３０】
尚、本実施例の場合には、偏心部材１０，１１の頭部１０ａ，１１ａに回転子１４の腕部１４ａを当接させるようにしているが、出力ピン１４ｂを当接させるようにしても構わない。また、本実施例の場合には、磁気感応素子であるホール素子２１によって、回転子１４の回転位置を検出するようにしているが、他の磁気感応素子や光電センサを用いても回転子１４の回転位置を検出することが可能である。そのため、本発明の回転位置検出手段は、本実施例のようなホール素子２１に限定されるものではない。そして、このことは、下記の実施例２の場合も同じである。
【００３１】
次に、本実施例の作動を、図１及び図５を用いて簡単に説明する。図１は、撮影開始前の状態であって、３枚の絞り羽根７，８，９が開口部１ａを全開にしている状態、即ち最大絞り開口の制御状態を示したものである。被写体光が、所定の明るさの場合又は所定の明るさよりも暗い場合には、このままで撮影が行われるが、被写体光が、所定の明るさよりも明るい場合には、電磁アクチュエータＭ１の回転子１４が反時計方向へ回転させられる。それにより、出力ピン１４ｂが絞り駆動リング６を時計方向へ回転させるので、３枚の絞り羽根７，８，９は、連結ピン７ａ，８ａ，９ａをカム溝６ａ，６ｂ，６ｃに押され、同時に反時計方向へ回転させられて開口部１ａ内に進入し、それらの協働によって絞り開口を小さくしていく。
【００３２】
そして、本実施例の絞り装置がスチルカメラに採用されている場合は、所定の絞り開口が得られたところで回転子１４が停止し、その後、撮影が行われることになるし、ムービーカメラに採用されている場合は、被写体光の変化に対応して、回転子１４が時計方向へ回転させられたり反時計方向へ回転させられたりして、常に適正な露光条件での撮影が行われるように絞り開口を変化させることになる。図５は、そのようにして、回転子１４の腕部１４ａが偏心部材１１に当接し、３枚の絞り羽根７，８，９が、最小絞り開口の制御位置に達した状態を示したものである。
【００３３】
このようにして、撮影が終了すると、回転子１４は、時計方向へ回転させられ、出力ピン１４ｂによって絞り駆動リング６を反時計方向へ回転させる。そのため、３枚の絞り羽根７，８，９は、同時に時計方向へ回転させられる。そして、それらの回転は、回転子１４の腕部１４ａが偏心部材１０に当接することによって停止させられる。その後、電磁アクチュエータＭ１に対する通電を断つと、図１に示された撮影開始前の状態に復帰したことになる。尚、本実施例は、図１が撮影開始前の状態であることにして説明したが、図５に示された状態を撮影開始前の状態にしてもよいことは言うまでもない。
【実施例２】
【００３４】
次に、図６〜図１０を用いて実施例２を説明する。図６は、最大絞り開口の制御状態を示した平面図であり、図７は、図６の一部拡大図である。また、図８は、本実施例に用いられている電磁アクチュエータを、フレキシブルプリント配線板を取り除いた状態で示した平面図であり、図９は、本実施例の一部を断面で示した図である。更に、図１０は、組立調整後の状態の一例を図７と同様にして示した一部拡大図である。尚、図６は、実施例１の説明に用いた図１と同様に、羽根室内の一部が見えるようにするため、地板の一部を破断して示してある。
【００３５】
上記の実施例１においては、二つの偏心部材１０，１１が地板１に直接取り付けられていた。それに対して、本実施例は、それらの偏心部材１０，１１を本実施例の電磁アクチュエータＭ２に取り付けるようにしたものである。そのため、本実施例の地板１には、実施例１の地板１に形成されていた、偏心部材１０，１１のピン１０ａ，１１ａを嵌合させるための二つの基準孔（一つの基準孔１ｎが図４に示されている）が形成されていない。そして、電磁アクチュエータＭ２の構成を除く、本実施例のその他の構成は、実施例１の場合と全く同じである。そのため、各図においては、偏心部材１０，１１も含めて、それらの構成部材と部位に、実施例１の場合と同じ符号を付けてある。従って、それらについての説明を省略するが、それらについて実施例１で述べたことは、全て本実施例にも適用される。
【００３６】
また、本実施例の電磁アクチュエータＭ２は、実施例１の電磁アクチュエータＭ１とは構成が異なるとはいえ、実質的には、実施例１における第２固定子枠１３の形状が異なるだけであり、機能上は全く同じである。そのため、本実施例の電磁アクチュエータＭ２の場合にも、電磁アクチュエータＭ１の場合と実質的に同じ構成部材，部位に同じ符号を付けてある。従って、第２固定子枠１３の形状についての説明を除き、実施例１の電磁アクチュエータＭ１について述べたことは、全て本実施例にも適用される。
【００３７】
そこで、実施例１とは異なる本実施例の構成、即ち第２固定子枠１３の形状を、主に図７〜図９を用いて説明する。図８に示されているように、本実施例の第２固定子枠１３にも四つの張出部１３ａ，１３ｂ，１３ｃ，１３ｄが形成されており、電磁アクチュエータＭ２は、この第２固定子枠１３の張出部１３ａ，１３ｃに形成されている二つの孔１３ｅ，１３ｆを利用し、図７に示されているように、二つのビス１８，１９によって、地板１に取り付けられている。
【００３８】
ところが、本実施例の張出部１３ｃ，１３ｄは、実施例１の張出部１３ｃ，１３ｄよりも張出し面積が大きくて、地板１の長孔１ｅの長さ方向の両端近傍部まで張り出している。そして、それらの近傍部に張り出している領域には、夫々、基準孔１３ｇが形成されていて、偏心部材１０，１１のピン１０ｂ，１１ｂを嵌合させているが、図９には、それらの基準孔１３ｇのうち、偏心部材１０のピン１０ｂを嵌合させている基準孔１３ｇが示されている。
【００３９】
本実施例は以上のような構成をしており、偏心部材１０，１１が、実施例１のように地板１に対してではなく、電磁アクチュエータＭ２の第２固定子枠１３に取り付けられているが、本実施例の個体差調整も、実施例１の個体差調整の場合と同様に、偏心部材１０，１１を回転させることによって行なわれる。そのため、その具体的な調整方法の説明は省略するが、その調整結果の一例として、図７の状態から偏心部材１０を反時計方向へ回転させ、偏心部材１１を時計方向へ回転させることによって、回転子１４の回転角度範囲を小さくした場合、即ち絞り駆動リング６の回転角度範囲を小さくした場合の一例が、図９に示されている。
【００４０】
このように、本実施例においては、二つの偏心部材１０，１１が、いずれも、電磁アクチュエータＭ２に取り付けられるようになっている。そのため、このような構成の電磁アクチュエータＭ２は、地板に対する取り付け方にさえ問題がなければ、基準の回転角度範囲が若干異なる絞り駆動リングを備えている絞り装置にも適用することができる。また、実施例１に使用されている電磁アクチュエータＭ１が故障したような場合には、電磁アクチュエータＭ１の代わりに使用することも可能である。
【００４１】
尚、本実施例の場合には、二つの偏心部材１０，１１を、第２固定子枠１３に形成されている二つの張出部１３ｃ，１３ｄに夫々取り付けているが、このような構成のほかに、二つの張出部１３ｃ，１３ｄを繋いで一つの張出部として形成しておき、その張出部に出力ピン１４ｂを挿入させるための長孔を、長孔１ｅのようにして形成し、その長孔の長さ方向の両端近傍部に取り付けるようにしても差し支えない。
【００４２】
本実施例の作動は、図６に示されている最大絞り開口の制御状態を撮影開始前の状態として、実施例１の場合と全く同じようにして行なわれる。また、図示していないが、３枚の絞り羽根７，８，９によって最小絞り開口を制御している状態は、上記の図５に示されている状態と実質的に同じである。そのため、その作動説明は省略する。
【００４３】
尚、上記の実施例１においては、二つの偏心部材１０，１１は、いずれも、地板１に取り付けられている。また、実施例２においては、二つの偏心部材１０，１１は、いずれも、第２固定子枠１３に取り付けられている。しかしながら、本発明は、そのような構成に限定されず、例えば、一方の偏心部材１０を地板１に取り付け、他方の偏心部材１１を第２固定子枠１３に取り付けても構わない。また、上記の各実施例においては、回転子１４の一方の軸受け部が第１固定子枠１２に設けられ、他方の軸受け部が第２固定子枠１３に設けられているが、本発明の固定子枠は、このような構成に限定されない。この種の電磁アクチュエータの固定子枠には種々の構成をしたものが知られている。
【００４４】
更に、上記の各実施例においては、回転子１４と一体の出力ピン１４ｂを、羽根室内で、絞り駆動リング６の長孔６ｄに嵌合させている。しかしながら、本発明は、そのような構成に限定されるものではない。本実施例の出力ピン１４ｃを羽根室内に挿入せず、羽根室外に配置しておくようにすると共に、地板１の羽根室外には、その出力ピン１４ｃに連動して往復回転させられる仲介部材を取り付けておき、その仲介部材に設けられた駆動ピンを羽根室内に挿入し、絞り駆動リング６の長孔６ｄに嵌合させるようにしてもよい。そして、そのようにした場合には、腕部１４ａや出力ピン１４ｂを、二つの偏心部材１０，１１の頭部１０ａ，１１ａに当接させるようにしてもよいし、その仲介部材や駆動ピンを二つの偏心部材１０，１１の頭部１０ａ，１１ａに当接させるようにしても構わない。
【図面の簡単な説明】
【００４５】
【図１】最大絞り開口の制御状態を示した実施例１の平面図である。
【図２】図１の一部拡大図である。
【図３】実施例１に用いられている電磁アクチュエータを、フレキシブルプリント配線板を取り除いて示した平面図である。
【図４】実施例１の一部を示した断面図である。
【図５】最小絞り開口の制御状態を示した実施例１の平面図である。
【図６】最大絞り開口の制御状態を示した実施例２の平面図である。
【図７】図６の一部拡大図である。
【図８】実施例２に用いられている電磁アクチュエータを、フレキシブルプリント配線板を取り除いて示した平面図である。
【図９】実施例２の一部を示した断面図である。
【図１０】組立調整後の状態の一例を図７と同様にして示した一部拡大図である。
【符号の説明】
【００４６】
１                                  地板
１ａ，２ａ                          開口部
１ｂ，１ｃ，１ｄ，２ｂ，２ｃ，２ｄ  取付孔
１ｅ，６ｄ                          長孔
１ｆ，１ｇ                          取付部
１ｈ                                筒部
１ｉ，１ｊ，１ｋ                    羽根取付軸
１ｍ，２ｆ                          突条部
１ｎ，１３ｇ                        基準孔
２                                  カバー板
２ｅ，１３ｅ，１３ｆ                孔
３，４，５，１８，１９，２２，２３  ビス
６                                  絞り駆動リング
６ａ，６ｂ，６ｃ                    カム溝
７，８，９                          絞り羽根
７ａ，８ａ，９ａ                    連結ピン
Ｍ１，Ｍ２                          電磁アクチュエータ
Ｐ                                  フレキシブルプリント配線板
１０，１１                          偏心部材
１０ａ，１１ａ                      頭部
１０ｂ，１１ｂ                      ピン
１０ｃ，１１ｃ                      スリワリ
１０ｄ，１１ｄ                      マーク孔
１２                                第１固定子枠
１２ａ，１２ｂ，１２ｃ，１２ｄ      端子ピン
１２ｅ                              凹部
１３                                第２固定子枠
１３ａ，１３ｂ，１３ｃ，１３ｄ      張出部
１４                                回転子
１４ａ                              腕部
１４ｂ                              出力ピン
１５，１６                          固定子コイル
１７                                ヨーク
２０                                プリント配線板
２１                                ホール素子
【図１】
0005394711.tif 000002
【図２】
0005394711.tif 000003
【図３】
0005394711.tif 000004
【図４】
0005394711.tif 000005
【図５】
0005394711.tif 000006
【図６】
0005394711.tif 000007
【図７】
0005394711.tif 000008
【図８】
0005394711.tif 000009
【図９】
0005394711.tif 000010
【図１０】
0005394711.tif 000011